(57)【特許請求の範囲】
【請求項１】
通信端末の位置に基づいた情報を配信する情報配信システムであって、
前記通信端末の位置を証明する位置証明情報を位置に対応付けて格納する情報データベースと、
前記通信端末と近距離通信が可能な複数の無線局と通信する手段と、
前記近距離通信が確立された無線局を認識することにより、前記通信端末の位置を示す位置情報を取得する位置情報取得部と、
前記位置情報取得部が取得した前記位置情報に基づいて、前記位置証明情報を情報データベースから抽出する抽出部と、
前記通信端末から撮像画像を受信する画像受信部と、
前記抽出部が抽出した前記位置証明情報と前記画像受信部が受信した前記撮像画像を合成する画像合成部と、
前記画像合成部が合成した合成画像を、インターネットを介して前記通信端末に送信する送信部と
を備える情報配信システム。
【請求項２】
前記合成画像に位置を証明する画像である比較画像が含まれているか否かを判断する画像判断部と、
前記画像判断部が前記合成画像に前記比較画像が含まれていると判断した場合に、所定の商品を前記通信端末のユーザに渡す旨を前記通信端末に送信する通知部と
をさらに備える請求項１に記載の情報配信システム。
【請求項３】
前記送信部は、前記合成画像を通信可能なプリンタに送信し、
前記画像判断部は、前記プリンタに送信した前記合成画像に前記比較画像が含まれているか否かを判断する請求項２に記載の情報配信システム。
【請求項４】
前記画像受信部は、前記合成画像を送信すべき送信先の指定をさらに受信し、
前記送信部は、指定された送信先に前記合成画像を送信する請求項１乃至請求項３に記載の情報配信システム。
【請求項５】
通信端末の位置に基づいた情報を配信する情報配信システムの情報配信方法であって、
前記通信端末と近距離通信が可能な複数の無線局のうち、前記近距離通信が確立された無線局を認識することにより、前記通信端末の位置を示す位置情報を取得する位置情報取得段階と、
前記位置情報取得段階が取得した前記位置情報に基づいて、前記通信端末の位置を証明する位置証明情報を位置に対応付けて格納する情報データベースから、前記位置証明情報を抽出する抽出段階と、
前記通信端末から撮像画像を受信する画像受信段階と、
前記抽出段階が抽出した前記位置証明情報と前記画像受信段階が受信した前記撮像画像を合成する画像合成段階と、
前記画像合成段階が合成した合成画像を、インターネットを介して前記通信端末に送信する送信段階と
を備える情報配信方法。
【請求項６】
前記合成画像に位置を証明する画像である比較画像が含まれているか否かを判断する画像判断段階と、
前記画像判断段階が前記合成画像に前記比較画像が含まれていると判断した場合に、所定の商品を前記通信端末のユーザに渡す旨を前記通信端末に送信する通知段階と
をさらに備える請求項５に記載の情報配信方法。
【請求項７】
前記送信段階は、前記合成画像を通信可能なプリンタに送信し、
前記画像判断段階は、前記プリンタに送信した前記合成画像に前記比較画像が含まれているか否かを判断する請求項６に記載の情報配信方法。
【請求項８】
前記画像受信段階は、前記合成画像を送信すべき送信先の指定をさらに受信し、
前記送信段階は、指定された送信先に前記合成画像を送信する請求項５乃至請求項７に記載の情報配信方法。
【発明の詳細な説明】
【０００１】
【発明の属する技術分野】
本発明は、情報配信システム、通信端末、情報配信方法、及び記録媒体に関する。特に本発明は、通信端末の位置に応じた情報を配信する情報配信システム、通信端末、情報配信方法、及び記録媒体に関する。
【０００２】
【従来の技術】
近年、携帯電話が普及し、エリア別に情報を携帯電話に配信するサービスが行われている。
【０００３】
【発明が解決しようとする課題】
しかし、従来は予め定められた情報をそのまま配信するのみであり、ユーザの要望を反映した情報の加工を行わなかった。
【０００４】
そこで本発明は、上記の課題を解決することのできる情報配信システム、通信端末、情報配信方法、及び記録媒体を提供することを目的とする。この目的は特許請求の範囲における独立項に記載の特徴の組み合わせにより達成される。また従属項は本発明の更なる有利な具体例を規定する。
【０００５】
【課題を解決するための手段】
上記課題を解決するために、本発明の第１の形態においては、通信端末の位置に基づいた情報を配信する情報配信システムであって、通信端末の位置を証明する位置証明情報を位置に対応付けて格納する情報データベースと、通信端末と近距離通信が可能な複数の無線局と通信する手段と、近距離通信が確立した無線局を認識し、認識した無線局を位置情報として用いて、通信端末の位置を示す位置情報を取得する位置情報取得部と、位置情報取得部が取得した位置情報に基づいて位置証明情報を情報データベースから抽出する抽出部と、通信端末から撮像画像を受信する画像受信部と、抽出部が抽出した位置証明情報と画像受信部が受信した撮像画像を合成する画像合成部と、画像合成部が合成した合成画像を、インターネットを介して通信端末に送信する送信部とを備える。
【０００６】
合成画像に位置を証明する画像である比較画像が含まれているか否かを判断する画像判断部と、画像判断部が合成画像に比較画像が含まれていると判断した場合に、所定のサービスまたは物品等の商品を通信端末のユーザに渡す旨を通信端末に送信する通知部とをさらに備えてもよい。
【０００７】
送信部は、合成画像を通信可能なプリンタに送信し、画像判断部は、プリンタに送信した合成画像に比較画像が含まれているか否かを判断してもよい。
【０００８】
画像受信部は、合成画像を送信すべき送信先の指定をさらに受信し、送信部は、指定された送信先に合成画像を送信してもよい。
【０００９】
本発明の第２の形態によると、通信端末の位置に基づいた情報を配信する情報配信システムの情報配信方法であって、情報配信システムは、通信端末の位置を証明する位置証明情報を位置に対応付けて格納する情報データベースと、通信端末と近距離通信が可能な複数の無線局と通信する手段とを備え、当該情報配信方法は、近距離通信が確立した無線局を認識し、認識した無線局を位置情報として用いて、通信端末の位置を示す位置情報を取得する位置情報取得段階と、位置情報取得段階が取得した位置情報に基づいて位置証明情報を情報データベースから抽出する抽出段階と、通信端末から撮像画像を受信する画像受信段階と、抽出段階が抽出した位置証明情報と画像受信段階が受信した撮像画像を合成する画像合成段階と、画像合成段階が合成した合成画像を、インターネットを介して通信端末に送信する送信段階とを備えてもよい。
【００１０】
合成画像に位置を証明する画像である比較画像が含まれているか否かを判断する画像判断段階と、画像判断段階が合成画像に比較画像が含まれていると判断した場合に、所定のサービスまたは物品等の商品を通信端末のユーザに渡す旨を通信端末に送信する通知段階とをさらに備えてもよい。
【００１１】
送信段階は、合成画像を通信可能なプリンタに送信し、画像判断段階は、プリンタに送信した合成画像に比較画像が含まれているか否かを判断してもよい。
【００１２】
画像受信段階は、合成画像を送信すべき送信先の指定をさらに受信し、送信段階は、指定された送信先に合成画像を送信してもよい。
【００１７】
なお上記の発明の概要は、本発明の必要な特徴の全てを列挙したものではなく、これらの特徴群のサブコンビネーションも又発明となりうる。
【００１８】
【発明の実施の形態】
以下、発明の実施の形態を通じて本発明を説明するが、以下の実施形態はクレームにかかる発明を限定するものではなく、又実施形態の中で説明されている特徴の組み合わせの全てが発明の解決手段に必須であるとは限らない。
【００１９】
（第１の実施の形態）
図１は、第１の実施の形態における情報配信システムの概略を示す。情報配信システム２０は、通信端末３０の位置に応じた画像データの配信情報に、通信端末３０から受信した撮像画像を合成し、合成した合成画像を通信端末３０に送信する。無線局４０、無線局４２、及び無線局４４は、通信端末３０とブルートゥースを用いた近距離無線通信が可能である。通信端末３０が無線局４０の通信可能領域である無線局４０領域の中に入った場合に、無線局４０と通信端末３０は通信する。無線局４０領域は、例えば無線局４０の半径５メートル以内の領域である。情報配信システム２０は、無線局４０が通信端末３０と通信可能となった旨を無線局４０から受信すると、通信端末３０の位置が無線局４０領域内であると認識する。情報配信システム２０は、通信端末３０の位置が無線局４０領域内であると認識すると、無線局４０領域に対応付けられた配信情報をデータベースから抽出する。
【００２０】
本実施の形態に係る情報配信システム２０は、無線局４０が通信端末３０と通信可能となった旨を無線局４０から受信しているが、これに換えて他の例としては、無線局４０が通信端末３０と通信可能となった旨を通信端末３０から受信してもよい。ここで通信端末３０は、無線局４０を識別する識別情報を無線局４０から受信し、受信した識別情報を情報配信システム２０にインターネット１０を介して送信する。
【００２１】
通信端末３０は、画像を撮像し、無線局４０との通信中に撮像した撮像画像を情報配信システム２０に送信する。通信端末３０は、撮像画像を、無線局４０を介して情報配信システム２０に送信しても良いし、携帯基地局５０、無線通信網７０、及びインターネット１０を介して情報配信システム２０に送信してもよい。情報配信システム２０は、データベースから抽出した配信情報と通信端末３０から受信した撮像画像を合成し、合成した合成画像を、インターネット１０を介して通信端末３０に送信する。ここで情報配信システム２０は、合成画像を通信端末３０に送信する際、無線局４０を介しても良い。
【００２２】
このように通信端末３０のユーザは、撮像画像を情報配信システム２０に送信するという簡単な操作のみで通信端末３０の位置に基づいた配信情報と撮像画像とを合成した合成画像を取得することができる。例えば、動物園においてユーザがライオンを見物していると、通信端末３０がライオンの周辺の無線局４０と通信し、情報配信システム２０は、通信端末３０がライオン周辺の位置にあると認識する。情報配信システム２０は、通信端末３０がライオン周辺の位置にあると認識すると、ライオンに関連した配信情報と通信端末３０から受信した撮像画像を合成し、通信端末３０に送信する。
【００２３】
図２は、情報配信システム２０の機能構成を示すブロック図である。情報配信システム２０は、受信部２０１と、位置情報取得部２０２と、抽出部２０４と、画像合成部２０６と、送信部２０８と、通知部２１２と、画像判断部２１４と、入力部２１６と、情報データベース２３０と、画像格納部２３４とを備える。受信部２０１は画像受信部２００を有する。情報データベース２３０は、通信端末３０に提供すべき配信情報を無線局毎に対応付けて格納する。画像格納部２３４は、予め定められた比較画像を格納する。画像格納部２３４に格納されている比較画像とモバイルプリンタ８０が印刷した合成画像とが同一である場合に、通信端末３０のユーザは、所定の商品を受け取ることができる。
【００２４】
受信部２０１は、通信端末３０が無線局４０と通信した旨を示す通信情報を無線局４０から受信し、位置情報取得部２０２に送る。位置情報取得部２０２は、受信部２０１から通信情報を受け取ると、通信端末３０が無線局４０領域に存在する旨を示す位置情報を抽出部２０４に送る。抽出部２０４は、位置情報取得部２０２から受け取った位置情報に対応付けられた配信情報を情報データベース２３０から抽出し、画像合成部２０６に送る。
【００２５】
画像受信部２００は、通信端末３０が撮像した撮像画像を通信端末３０から受信し、画像合成部２０６に送る。画像合成部２０６は、抽出部２０４から受け取った配信情報と、画像受信部２００から受け取った撮像画像とを合成し、合成した合成画像を送信部２０８に送る。送信部２０８は、画像合成部２０６から受け取った合成画像を、インターネット１０を介して通信端末３０に送信する。通信端末３０は、モバイルプリンタ８０に合成画像を送信する。モバイルプリンタ８０が通信機能を有する場合には、送信部２０８は、通信端末３０を介さず直接モバイルプリンタ８０に合成画像を送信してもよい。
【００２６】
通信端末３０は、情報配信システム２０から受信した合成画像をモバイルプリンタ８０に送信し、印刷させる。ユーザは、印刷した合成画像を情報配信システム２０の入力部２１６からスキャナ等を用いて入力する。入力部２１６は、入力された合成画像を画像判断部２１４に送る。画像判断部２１４は、入力部２１６から受け取った合成画像が、画像格納部２３４に格納されている比較画像と同一であるか否かを判断する。画像判断部２１４は、入力部２１６から受け取った合成画像が、画像格納部２３４に格納されている比較画像を含んでいると判断した場合に、入力部２１６から受け取った合成画像が、画像格納部２３４に格納されている比較画像と同一である旨を示す画像同一情報を通知部２１２に送る。通知部２１２は、画像判断部２１４から画像同一情報を受け取ると、所定の商品を通信端末３０のユーザに渡す旨をユーザに通知する。ユーザへの通知は、所定の商品を通信端末３０のユーザに渡す旨を通知部２１２が通信端末３０へ送信してもよいし、所定の商品を通信端末３０のユーザに渡す旨を通知部２１２が印刷し、印刷物をユーザへ送付してもよい。また、情報配信システム２０の表示部に所定の商品を通知部２１２が通信端末３０のユーザに渡す旨を表示し、表示部をユーザは閲覧してもよい。
【００２７】
図３は、情報データベース２３０のデータフォーマットの一例を示す。情報データベース２３０は、配信情報を無線局の位置に対応付けて格納する。情報データベース２３０は、位置フィールドと配信情報フィールドを有する。位置フィールドは、通信端末３０が通信可能な無線局４０、無線局４２、及び無線局４４を格納する。配信情報フィールドは、情報配信システム２０が通信端末３０から受信した撮像画像と合成すべき配信情報を格納する。配信情報は、画像情報であってもよいし、音声情報であってもよい。通信端末３０が無線局４０と通信した場合には、画像合成部２０６は、無線局４０に対応付けられている配信情報ｌｉｏｎ．ｇｉｆと撮像画像とを合成し、合成画像を作成する。
【００２８】
このように、情報データベース２３０が配信情報を位置に対応付けて格納することによって、情報配信システム２０は、通信端末３０の位置に応じた配信情報を撮像画像に合成した合成画像をユーザに提供することができる。例えば動物園において、無線局４０の周辺にライオンがいる場合には、情報配信システム２０は、ライオンを含む画像を配信情報として、ユーザの撮像画像と合成し、合成した合成画像を通信端末３０に送信することができる。
【００２９】
図４は、合成画像をユーザに送信する際の情報配信システム２０の動作を示すフローチャートである。画像受信部２００が通信端末３０から無線局４０を介して撮像画像を受信した場合に（Ｓ１００）、位置情報取得部２０２は、通信端末３０の位置情報を取得する（Ｓ１０２）。次に抽出部２０４は、位置情報取得部２０２が取得した位置情報に対応付けて格納されている配信情報を情報データベース２３０から抽出する（Ｓ１０４）。次に画像合成部２０６は、抽出部２０４が抽出した配信情報と、Ｓ１００において画像受信部２００が通信端末３０から受信した撮像画像とを合成し、合成画像を作成する（Ｓ１０６）。次に受信部２０１が合成画像の送信先の指定を通信端末３０から受信した場合に（Ｓ１０８）、送信部２０８は、画像合成部２０６が作成した合成画像を指定された送信先に送信する（Ｓ１１２）。Ｓ１０８において、受信部２０１が合成画像の送信先の指定を通信端末３０から受信しなかった場合に、送信部２０８は、画像合成部２０６が作成した合成画像を通信端末３０に送信する（Ｓ１１０）。送信先の指定は、例えばメールアドレスまたは電話番号の指定により行う。
【００３０】
Ｓ１０２において位置情報取得部２０２は、通信端末３０の位置情報を取得する。通信端末３０は、無線局４０との距離が近距離、例えば５メートル以内になった場合に、無線局４０と近距離通信が可能となる。近距離通信はブルートゥースを用いて行う。通信端末３０と無線局４０との近距離通信が可能となった場合に、位置情報取得部２０２は、無線局４０と通信端末３０が通信した旨を示す通信情報を無線局４０から受信する。これにより、情報配信システム２０は、通信端末３０の位置を５メートル単位で取得することができる。またここでは、位置情報取得部２０２は、通信情報を無線局４０から受信しているが、これに換えて通信情報を通信端末３０から受信しても良い。
【００３１】
このように情報配信システム２０は、撮像画像を通信端末３０から受信すると通信端末３０の位置に応じた合成画像を作成し、通信端末３０に送信することができる。これにより、ユーザは、画像を撮像し、撮像した撮像画像を情報配信システム２０に送信するといった簡単な操作のみで、合成画像を受け取ることができる。従って情報配信システム２０は、ユーザの要望を反映した情報をユーザに提供することができる。
【００３２】
図５は、ユーザから入力された合成画像に、画像格納部２３４に格納されている比較画像が含まれているか否かを判断する際の情報配信システム２０の動作を示すフローチャートである。ここで比較画像とは、例えば動物園であれば動物園と記載された看板のような位置を証明する画像であってもよい。
【００３３】
ユーザは、印刷した合成画像を入力部２１６から入力する（Ｓ３００）。画像判断部２１４は、入力部２１６から入力された合成画像に、画像格納部２３４に格納されている比較画像が含まれているか否かを判断する（Ｓ３０２）。画像判断部２１４が、入力部２１６から入力された合成画像に、画像格納部２３４に格納されている比較画像が含まれていると判断した場合に、通知部２１２は、所定の商品をユーザ渡す旨を通信端末３０に送信する（Ｓ３０４）。一方画像判断部２１４が、入力部２１６から入力された合成画像に、画像格納部２３４に格納されている比較画像が含まれていないと判断した場合には、通知部２１２が所定の商品をユーザに渡す旨を通信端末３０に送信することなく情報配信システム２０の動作は終了する。
【００３４】
このように情報配信システム２０は、入力された合成画像に、画像格納部２３４に格納されている比較画像が含まれているか否かを判断することで、通信端末３０のユーザが所定の商品を受け取ることができるか否かを判断することができる。
【００３５】
本実施の形態のＳ３００において、画像判断部２１４は、入力部２１６から入力された合成画像を判断しているが、これに換えて他の例としては、画像合成部２０６が作成した合成画像を画像合成部２０６から受け取り、受け取った合成画像を判断してもよい。さらにここで入力部２１６は、モバイルプリンタ８０が印刷した合成画像を入力しているが、これに換えて他の例としては、通信端末３０が合成画像を記録しておき、記録していた合成画像のデータを通信端末３０からまとめて受信してもよい。また本実施の形態のＳ３０４において通知部２１２は、所定の商品をユーザに渡す旨を通信端末３０に送信しているが、これに換えて他の例としては、所定の商品をユーザに渡す旨を印刷し、印刷物をユーザに送付してもよいし、表示部において表示しても良い。さらにＳ３００からＳ３０４の情報配信システム２０の動作を情報配信システム２０のオペレータが行ってもよい。
【００３６】
図６（Ａ）は、情報配信システム２０が通信端末３０から受信した撮像画像の一例を示す。例えば動物園において、無線局４０から５メートル以内の無線局４０領域がライオンを観覧することができる領域である場合に、通信端末３０がユーザを無線局４０領域で撮像する。
【００３７】
図６（Ｂ）は、配信情報と撮像画像を合成した合成画像の一例を示す。通信端末３０が撮像した撮像画像を情報配信システム２０に送信すると、受信部２０１は、通信端末３０が無線局４０領域に存在する旨を示す位置情報を無線局４０から受信する。抽出部２０４は、受信した位置情報に対応付けられた配信情報を抽出する。ここで配信情報は、ライオンに関連した情報である。また配信情報は、通信端末３０の位置を証明する情報、即ち動物園のライオンの周辺にいるという情報を含む。画像合成部２０６は、配信情報と撮像画像を合成する。合成画像は、配信情報と、ライオンとユーザを合成した画像である。合成画像の作成は、撮像画像から所定の画像部分、例えば予め設置されている物体の画像部分や背景部分等を差し引き、ユーザ部分のみを配信情報に合成する。
【００３８】
このように情報配信システム２０は、ユーザの撮像した位置に応じた配信情報とユーザの画像を効果的に合成することができる。また、位置を証明する情報をさらに合成することにより、画像を撮像した場所を明らかにすることができる。
【００３９】
図７は、情報配信システム２０のハードウェア構成を示すブロック図である。情報配信システム２０は、ＣＰＵ７００と、ＲＯＭ７０２と、ＲＡＭ７０４と、通信インターフェース７０６とを備える。ＣＰＵ７００は、ＲＯＭ７０２及びＲＡＭ７０４に格納されたプログラムに基づいて動作する。通信インターフェース７０６は、インターネット１０を介して外部と通信する。格納装置の一例としてのハードディスクドライブ７１０は、設定情報及びＣＰＵ７００が動作するプログラムを格納する。
【００４０】
フロッピーディスクドライブ７１２はフロッピーディスク７１４からデータまたはプログラムを読み取りＣＰＵ７００に提供する。ＣＤ−ＲＯＭドライブ７１６はＣＤ−ＲＯＭ７１８からデータまたはプログラムを読み取りＣＰＵ７００に提供する。通信インターフェース７０６は、インターネット１０に接続してデータを送受信する。
【００４１】
ＣＰＵ７００が実行するソフトウエアは、フロッピーディスク７１４またはＣＤ−ＲＯＭ７１８等の記録媒体に格納されて利用者に提供される。記録媒体に格納されたソフトウエアは圧縮されていても非圧縮であっても良い。ソフトウエアは記録媒体からハードディスクドライブ７１０にインストールされ、ＲＡＭ７０４に読み出されてＣＰＵ７００により実行される。
【００４２】
記録媒体に格納されて提供されるソフトウエア、即ちハードディスクドライブ７１０にインストールされるソフトウェアは、機能構成として、管理モジュール、位置情報取得モジュール、抽出モジュール、画像受信モジュール、及び送信モジュールを備える。これらの各モジュールがコンピュータに働きかけて、ＣＰＵ７００に行わせる処理は、それぞれ本実施の形態におけるチケット発行サーバ２０における、対応する部材の機能及び動作と同一であるから説明を省略する。
【００４３】
図７に示した、記録媒体の一例としてのフロッピーディスク７１４またはＣＤ−ＲＯＭ７１８には、本出願で説明する全ての実施形態におけるチケット発行サーバ２０の動作の一部または全ての機能を格納することができる。
【００４４】
これらのプログラムは記録媒体から直接ＲＡＭに読み出されて実行されても、一旦ハードディスクドライブにインストールされた後にＲＡＭに読み出されて実行されても良い。更に、上記プログラムは単一の記録媒体に格納されても複数の記録媒体に格納されても良い。また記録媒体に格納されるモジュールは、オペレーティングシステムとの共同によってそれぞれの機能を提供してもよい。例えば機能の一部または全部を行うことをオペレーティングシステムに依頼し、オペレーティングシステムからの応答に基づいて機能を提供するものであってもよい。
【００４５】
記録媒体としては、フロッピーディスク、ＣＤ−ＲＯＭの他にも、ＤＶＤ等の光学記録媒体、ＭＤ等の磁気記録媒体、ＰＤ等の光磁気記録媒体、テープ媒体、磁気記録媒体、ＩＣカードやミニチュアーカードなどの半導体メモリー等を用いることができる。又、専用通信ネットワークやインターネットに接続されたサーバシステムに設けたハードディスクまたはＲＡＭ等の格納装置を記録媒体として使用し、通信網を介してプログラムを情報配信システム２０に提供してもよい。
【００４６】
このような記録媒体は、情報配信システム２０を製造するためのみに使用されるものであり、そのような記録媒体の業としての製造および販売等が本出願に基づく特許権の侵害を構成することは明らかである。
【００４７】
（第２の実施の形態）
次に本発明に係る第２の実施の形態を説明する。第１の実施の形態では、情報配信システム２０が、撮像画像と配信情報とを合成していたが、これに換えて第２の実施の形態では、通信端末３０が撮像画像と配信情報とを合成する。また第１の実施の形態における情報配信システム２０は、近距離通信が可能な無線局４０を用いて通信端末３０の位置情報を取得しているが、これに換えて本実施の形態では、ＧＰＳを用いて通信端末３０の位置情報を取得する。
【００４８】
図８は、第２の実施の形態における通信端末３０の機能構成を示すブロック図である。通信端末３０は、無線通信部３００と、配信情報受信部３０２と、画像合成部３０４と、出力部３０６と、撮像部３０８と、消去部３１０と、ＧＰＳ位置演算部３１２とを備える。無線通信部３００は、複数のＧＰＳ衛星との距離を算出するためのＧＰＳ信号を各ＧＰＳ衛星から受信してＧＰＳ位置演算部３１２に送る。ＧＰＳ位置演算部３１２は、無線通信部３００から受け取ったＧＰＳ信号を用いて通信端末３０の位置を算出し、算出した位置を無線通信部３００に送る。無線通信部３００は、算出した通信端末３０の位置情報を情報配信システム２０に送る。
【００４９】
情報配信システム２０は、通信端末３０から受信した通信端末３０の位置情報に対応付けて情報データベース２３０に格納されている配信情報を通信端末３０に送る。無線通信部３００は、通信端末３０の位置情報に対応した配信情報を情報配信システム２０から受信し、配信情報受信部３０２に送る。配信情報受信部３０２は、無線通信部３００から受け取った配信情報を画像合成部３０４に送る。一方、撮像部３０８は、画像を撮像し、撮像した撮像画像を画像合成部３０４に送る。
【００５０】
画像合成部３０４は、配信情報受信部３０２から受け取った配信情報と、撮像部３０８から受け取った撮像画像とを合成する。画像合成部３０４は、合成した合成画像を出力部３０６に送る。出力部３０６は、画像合成部３０４から受け取った合成画像をモバイルプリンタ８０に送信する。また画像合成部３０４は、撮像画像と配信情報を合成すると、配信情報を消去部３１０に送る。消去部３１０は、受け取った配信情報を消去する。
【００５１】
ここで通信端末３０は、さらに入力部を備えてもよい。ユーザは、入力部から合成画像にさらに合成したい文字や絵柄等の情報を入力することができる。このように通信端末３０が配信情報と撮像画像を合成する機能を備えることによって、ユーザは、好みにあった合成画像を作成することができる。
【００５２】
図９は、第２の実施の形態に係る情報配信システム２０の機能構成を示す。本実施の形態の情報配信システム２０は、画像受信部２００と画像合成部２０６とを備えない点で第１の実施の形態に係る情報配信システム２０の構成と異なる。また情報データベース２３０は、第１の実施の形態では、無線局に対応付けて配信情報を格納しているが、これに換えて本実施の形態において情報データベース２３０は、緯度及び経度を示す位置情報に対応付けて配信情報を格納する。ここで情報データベース２３０の対応付けは、幅をもって行われる。例えば、位置情報は、１０メートル四方毎に区切られ、各区切りごとに配信情報が対応付けられる。また第１の実施の形態において抽出部２０４は、位置情報取得部２０２から受け取った位置情報に対応付けられた配信情報を情報データベース２３０から抽出し、抽出した配信情報を画像合成部２０６に送るが、本実施の形態において抽出部２０４は、位置情報取得部２０２から受け取った位置情報に対応付けられた配信情報を情報データベース２３０から抽出し、抽出した配信情報を送信部２０８に送る。送信部２０８は、配信情報を通信端末３０に送る。これ以外の情報配信システム２０の動作及び構成は第１の実施の形態における動作及び構成と同様であるので説明を省略する。
【００５３】
ここでは、通信端末３０がＧＰＳ衛星からＧＰＳ信号を受信しているが、これに換えて他の例としては、通信端末３０がＧＰＳ衛星からＧＰＳ信号を受信し、受信したＧＰＳ信号を情報配信システム２０に送信してもよい。情報配信システム２０は、受信したＧＰＳ信号を用いて通信端末３０の位置情報を算出する。
【００５４】
（第３の実施の形態）
次に本発明に係る第３の実施の形態について説明する。第１の実施の形態において情報配信システム２０は、画像合成部２０６が合成した合成画像を通信端末３０に送信しているが、これに換えて第３の実施の形態における情報配信システム２０は、画像合成部２０６が合成した合成画像を印刷する。ユーザは、印刷された合成画像を情報配信システム２０から受け取る。
【００５５】
図１０は、第３の実施の形態に係る情報配信システム２０の機能構成を示すブロック図である。第３の実施の形態に係る情報配信システム２０は、印刷部２２０をさらに備える点、及び送信部２０８を備えない点で第１の実施の形態における情報配信システム２０と異なる。画像合成部２０６は、合成画像を印刷部２２０に送る。印刷部２２０は、受け取った合成画像を印刷する。これ以外の動作及び構成は、第１の実施の形態における情報配信システム２０と同様であるので説明を省略する。
【００５６】
（第４の実施の形態）
次に本発明に係る第４の実施の形態について説明する。第１の実施の形態における情報配信システム２０は、通信端末３０と通信した無線局４０を位置情報として取得しているが、これに換えて本実施の形態における情報配信システム２０は、携帯基地局５０を用いて通信端末３０の位置情報を取得する。
【００５７】
図１１は、第４の実施の形態にかかる情報配信システム２０の機能構成を示すブロック図である。第４の実施の形態にかかる情報配信システム２０は、演算部２２２をさらに備える点で第１の実施の形態における情報配信システム２０と異なる。携帯基地局５０は、通信端末３０と通信可能な状態になると、携帯基地局５０を識別する基地局識別情報と、通信端末３０と携帯基地局５０との距離を示す距離情報とを通信端末３０に送信する。通信端末３０は、携帯基地局５０から受信した基地局識別情報と距離情報とを情報配信システム２０に送信する。情報配信システム２０は、通信端末３０から受信した基地局識別情報と距離情報を用いて演算処理し、通信端末３０の位置を算出する。この位置の算出及び距離情報は、例えばＧＰＳと同様の原理により算出、取得される。ここで通信端末３０は、基地局識別情報と距離情報を複数の携帯基地局から受信し、受信した複数の基地局識別情報と距離情報を情報配信システム２０に送信してもよい。情報配信システム２０は、受信した複数の基地局識別情報と距離情報を用いて演算処理する。
【００５８】
本実施の形態における位置情報取得部２０２は、演算部２２２を有する。受信部２０１は、基地局識別情報と距離情報を通信端末３０から受信し、演算部２２２に送る。演算部２２２は、受信部２０１から受け取った基地局識別情報と距離情報を用いて通信端末３０の位置を決定する。通信端末３０の位置は、例えば緯度及び経度で示される。演算部２２２は、決定した通信端末３０の位置情報を抽出部２０４に送る。情報データベース２３０の構成は、第２の実施の形態と同様である。これ以外の情報配信システム２０の構成及び動作は、第１の実施の形態と同様であるので説明を省略する。
【００５９】
以上、本発明を実施の形態を用いて説明したが、本発明の技術的範囲は上記実施の形態に記載の範囲には限定されない。上記実施の形態に、多様な変更又は改良を加えることができる。その様な変更又は改良を加えた形態も本発明の技術的範囲に含まれ得ることが、特許請求の範囲の記載から明らかである。
【００６０】
【発明の効果】
上記説明から明らかなように、本発明によればエリア別にユーザの要求に応じた情報を配信することができる。
【図面の簡単な説明】
【図１】第１の実施の形態における情報配信システムの概略を示す図である。
【図２】情報配信システム２０の機能構成を示すブロック図である。
【図３】情報データベース２３０のデータフォーマットの一例を示す図である。
【図４】合成画像をユーザに送信する際の情報配信システム２０の動作を示すフローチャートである。
【図５】合成画像と比較画像を比較する際の情報配信システム２０の動作を示すフローチャートである。
【図６】撮像画像及び合成画像の一例を示す図である。
【図７】情報配信システム２０のハードウェア構成を示すブロック図である。
【図８】第２の実施の形態における通信端末３０の機能構成を示すブロック図である。
【図９】第２の実施の形態における情報配信システム２０の機能構成を示すブロック図である。
【図１０】第３の実施の形態における情報配信システム２０の機能構成を示すブロック図である。
【図１１】第４の実施の形態における情報配信システム２０の機能構成を示すブロック図である。
【符号の説明】
１０  インターネット
２０  情報配信システム
３０  通信端末
４０  無線局
４２  無線局
４４  無線局
５０  携帯基地局
７０  無線通信網
８０  モバイルプリンタ
２００  画像受信部
２０１  受信部
２０２  位置情報取得部
２０４  抽出部
２０６  画像合成部
２０８  送信部
２１４  画像判断部
２１６  入力部
２３０  情報データベース
２３４  画像格納部
【図１】
0004076719.tif 000002
【図２】
0004076719.tif 000003
【図３】
0004076719.tif 000004
【図４】
0004076719.tif 000005
【図５】
0004076719.tif 000006
【図６】
0004076719.tif 000007
【図７】
0004076719.tif 000008
【図８】
0004076719.tif 000009
【図９】
0004076719.tif 000010
【図１０】
0004076719.tif 000011
【図１１】
0004076719.tif 000012